(57)【要約】【課題】人為的なミスが生じ難いと共に、従来よりもリアルタイムで手術中でも正確に医療関連用品の使用数を管理することができる医療関連用品用棚及び医療関連用品入出庫管理システムを提供すること。【解決手段】下部にキャスター２ａを有して移動可能であると共に複数の医療関連用品３を載置可能な棚本体２と、棚本体に設置された情報送受信部４とを備え、医療関連用品が、用品情報信号を無線で送信可能なＲＦＩＤタグ５を備え、情報送受信部が、常時又は定期的にＲＦＩＤタグから送信された用品情報信号を受信する機能と、棚本体に載置された複数の医療関連用品の受信した複数の用品情報信号のうち、その受信した日時より後に受信できなくなった医療関連用品の用品情報信号があった際に、受信できなくなった医療関連用品の用品情報信号を自動的に無線で送信する機能とを有する。【選択図】図１
2020010788.tif 000002
【特許請求の範囲】
【請求項１】
下部にキャスターを有して移動可能であると共に複数の医療関連用品を載置可能な棚本体と、
前記棚本体に設置された情報送受信部とを備え、
前記医療関連用品が、前記医療関連用品の情報を記憶し前記情報を含む用品情報信号を無線で送信可能なＲＦＩＤタグを備え、
前記情報送受信部が、常時又は定期的に前記ＲＦＩＤタグから送信された前記用品情報信号を受信する情報読み取り機能と、
前記棚本体に載置された複数の前記医療関連用品の受信した複数の前記用品情報信号のうち、その受信した日時より後に受信できなくなった前記医療関連用品の前記用品情報信号があった際に、前記受信できなくなった前記医療関連用品の前記用品情報信号を自動的に無線で送信する情報送信機能とを有することを特徴とする医療関連用品用棚。
【請求項２】
請求項１に記載の医療関連用品用棚において、
前記情報送受信部が、バッテリーを備えていると共に、前記バッテリーの電圧の情報を含めて前記用品情報信号を送信可能であることを特徴とする医療関連用品用棚。
【請求項３】
請求項１又は２に記載の医療関連用品用棚において、
前記情報送受信部が、前記棚本体に割り当てられた番号の情報を含めて前記用品情報信号を送信可能であることを特徴とする医療関連用品用棚。
【請求項４】
請求項１から３のいずれか一項に記載の医療関連用品用棚において、
前記情報送受信部が、ＧＰＳによる位置情報を受信可能な位置情報取得部を備え、前記位置情報を含めて前記用品情報信号を送信可能であることを特徴とする医療関連用品用棚。
【請求項５】
手術室内に移動可能な請求項１から４のいずれか一項に記載の医療関連用品用棚と、
前記手術室の外部に設置される情報管理部とを備え、
前記情報管理部が、前記情報送受信部が送信した前記用品情報信号を受信する管理側受信部と、
前記管理側受信部で受信した前記用品情報信号を記憶する情報記憶部とを備えていることを特徴とする医療関連用品入出庫管理システム。
【請求項６】
請求項５に記載の医療関連用品入出庫管理システムにおいて、
複数の前記手術室に前記医療関連用品用棚が設置され、
前記管理側受信部が、複数の前記医療関連用品用棚の前記情報送受信部から送信される前記用品情報信号を受信可能であることを特徴とする医療関連用品入出庫管理システム。
【請求項７】
請求項５又は６に記載の医療関連用品入出庫管理システムにおいて、
複数の病院にある複数の前記手術室に前記医療関連用品用棚が設置され、
前記管理側受信部が、前記情報送受信部から送信される前記用品情報信号を通信回線を介して受信可能であり、
前記情報管理部が、複数の前記病院の外部に設置され、複数の前記病院で使用された前記医療関連用品の情報を一括して収集し、集中管理することを特徴とする医療関連用品入出庫管理システム。
【請求項８】
請求項５から７のいずれか一項に記載の医療関連用品入出庫管理システムにおいて、
前記情報管理部が、前記用品情報信号を受信した際、受信した前記用品情報信号の内容に関する通知を前記医療関連用品の出庫担当者又は出庫担当部署に通信回線を介して送信可能であることを特徴とする医療関連用品入出庫管理システム。
【発明の詳細な説明】
【技術分野】
【０００１】
本発明は、手術室等で使用されるカテーテル、手袋や薬品等の医療関連用品の使用状況を容易に管理することができる医療関連用品用棚及び医療関連用品入出庫管理システムに関する。
【背景技術】
【０００２】
病院の手術室には、手術等に使用されるカテーテル、手袋、脱脂綿、点滴用具及び薬品・薬剤等の医療関連用品が棚に収納されて手術時に直ぐに使用可能な状態とされている。これら医療関連用品は、使用されて手術室内の在庫が減った際に棚に適宜補充されるが、従来、手術が終了した後に、使用された医療関連用品の数を定期的に数えて、減った数だけ補充を行う管理を行っている。この際、例えば医療関連用品を使用する際に、使用後に医療関連用品に取り付けてあるラベルを医療関連用品から引き剥がし、伝票やカルテに再貼り付けして、使用数をチェックしている。
【０００３】
また、例えば薬剤の管理については、特許文献１において、薬剤のアンプルの下部にＲＦＩＤタグを取り付け、薬剤の収納部に薬剤のＲＦＩＤタグの情報を検出して薬剤の取り出し、補充を管理することができるシステムが提案されている。このシステムでは、ＲＦＩＤタグ付きの薬剤の不足をボタン操作により検出し、ネットワーク経由で補充に必要な薬剤情報を手術室の外の薬剤払い出し装置に発信するキャスター付きの薬剤管理装置が用いられている。
【０００４】
また、特許文献２には、人為的なミスが生じ難いと共に、専用の手術用関連用品を作製しなくても正確に使用数を管理することができる医療関連用品入出庫管理システムが記載されている。この医療関連用品入出庫管理システムでは、医療関連用品に取り付けられたＲＦＩＤタグ付きのラベルと、使用時に医療関連用品から取り外されたラベル又はラベルが取り付けられたままの使用済みの医療関連用品が入れられる廃棄物容器とを備え、廃棄物容器が、内部に入れられたラベルのＲＦＩＤタグから送信された用品情報信号を受信すると共に受信した用品情報信号を送信する容器側送受信部を備えている。すなわち、特許文献２の技術では、単に使用済みのラベル付き医療関連用品又はそのラベルをゴミ箱である廃棄物容器に廃棄するだけで、使用された医療関連用品の情報をリアルタイムで容易に収集することができる。
【先行技術文献】
【特許文献】
【０００５】
【特許文献１】特開２０１１−１０４１８８号公報
【特許文献２】特開２０１６−５９７３０号公報
【発明の概要】
【発明が解決しようとする課題】
【０００６】
上記従来の技術には、以下の課題が残されている。
特許文献１に記載の技術では、手術後にボタン操作によって補充に必要な薬剤名と個数を算出し、外部に発信するが、補充に必要な薬剤情報の取得が手術後になってしまうと共に、看護師等の作業者がボタンを操作し忘れると薬剤情報を取得できない又は取得に大幅な遅延が生じてしまうという問題があった。
また、特許文献２に記載の技術では、特許文献１の技術に比べて早くかつ正確に使用された医療関連用品の情報が外部で取得可能であるが、使用済みのラベル付き医療関連用品又はそのラベルを廃棄物容器に投入するまで、使用された医療関連用品の情報が送信されないため、やはり情報取得にタイムラグが発生してしまう。また、作業者が使用済みのラベル付き医療関連用品又はそのラベルを廃棄物容器に廃棄せず、別の場所に廃棄してしまうと、使用された医療関連用品の情報が送信されないという不都合があった。このように、特許文献１及び２では、いずれも作業者の操作や動作に依存する部分があり、人為的なミスが生じる可能性があり、手術中などで実施の使用数を正確にかつリアルタイムで把握することができない場合がある。
【０００７】
本発明は、前述の課題に鑑みてなされたもので、人為的なミスが生じ難いと共に、従来よりもリアルタイムで手術中でも正確に医療関連用品の使用数を管理することができる医療関連用品用棚及び医療関連用品入出庫管理システムを提供することを目的とする。
【課題を解決するための手段】
【０００８】
本発明は、前記課題を解決するために以下の構成を採用した。すなわち、第１の発明に係る医療関連用品用棚は、下部にキャスターを有して移動可能であると共に複数の医療関連用品を載置可能な棚本体と、前記棚本体に設置された情報送受信部とを備え、前記医療関連用品が、前記医療関連用品の情報を記憶し前記情報を含む用品情報信号を無線で送信可能なＲＦＩＤタグを備え、前記情報送受信部が、常時又は定期的に前記ＲＦＩＤタグから送信された前記用品情報信号を受信する情報読み取り機能と、前記棚本体に載置された複数の前記医療関連用品の受信した複数の前記用品情報信号のうち、その受信した日時より後に受信できなくなった前記医療関連用品の前記用品情報信号があった際に、前記受信できなくなった前記医療関連用品の前記用品情報信号を無線で送信する情報送信機能とを有することを特徴とする。
【０００９】
この医療関連用品用棚では、情報送受信部が、常時又は定期的にＲＦＩＤタグから送信された用品情報信号を受信する情報読み取り機能と、棚本体に載置された複数の医療関連用品の受信した複数の用品情報信号のうち、その受信した日時より後に受信できなくなった医療関連用品の用品情報信号があった際に、受信できなくなった医療関連用品の用品情報信号を無線で送信する情報送信機能とを有するので、棚本体から医療関連用品が取り出されただけで、その用品情報信号が自動的に送信される。
したがって、作業者に頼らずに使用された医療関連用品の用品情報信号を取得することができ、人為的なミスが生じ難いと共に、従来よりもリアルタイムで手術中でも正確に医療関連用品の使用数を外部で把握することができる。
【００１０】
第２の発明に係る医療関連用品用棚は、第１の発明において、前記情報送受信部が、バッテリーを備えていると共に、前記バッテリーの電圧の情報を含めて前記用品情報信号を送信可能であることを特徴とする。
すなわち、この医療関連用品用棚では、情報送受信部が、バッテリーを備えているので、コンセント等の外部電源が近くになくても稼働でき、設置自由度が高く、容易に移動も可能になる。また、情報送受信部が、バッテリーの電圧の情報を含めて用品情報信号を送信可能であるので、バッテリーの電圧情報も外部で自動的に受信することができ、得られたバッテリーの残量から充電の可否も外部で把握することができる。
【００１１】
第３の発明に係る医療関連用品用棚は、第１又は第２の発明において、前記情報送受信部が、前記棚本体に割り当てられた番号の情報を含めて前記用品情報信号を送信可能であることを特徴とする。
すなわち、この医療関連用品用棚では、情報送受信部が、棚本体に割り当てられた番号の情報を含めて用品情報信号を送信可能であるので、複数の医療関連用品用棚が使用されていても、どの医療関連用品用棚の棚本体から医療関連用品が抜き取られて使用されたかが容易に把握することができる。
【００１２】
第４の発明に係る医療関連用品用棚は、第１から第３の発明のいずれかにおいて、前記情報送受信部が、ＧＰＳによる位置情報を受信可能な位置情報取得部を備え、前記位置情報を含めて前記用品情報信号を送信可能であることを特徴とする。
すなわち、この医療関連用品用棚では、情報送受信部が、ＧＰＳによる位置情報を受信可能な位置情報取得部を備え、位置情報を含めて用品情報信号を送信可能であるので、医療関連用品用棚がどの場所、例えば複数ある手術室のうち、どの手術室で使用されているかも容易に把握することができる。
【００１３】
第５の発明に係る医療関連用品入出庫管理システムは、手術室内に移動可能な請求項１から４のいずれか一項に記載の医療関連用品用棚と、前記手術室の外部に設置される情報管理部とを備え、前記情報管理部が、前記情報送受信部が送信した前記用品情報信号を受信する管理側受信部と、前記管理側受信部で受信した前記用品情報信号を記憶する情報記憶部とを備えていることを特徴とする。
すなわち、この医療関連用品入出庫管理システムでは、手術室内に移動可能な上記医療関連用品用棚と、手術室の外部に設置される情報管理部とを備え、情報管理部が、情報送受信部が送信した用品情報信号を受信する管理側受信部と、管理側受信部で受信した用品情報信号を記憶する情報記憶部とを備えているので、手術中などで使用された医療関連用品の情報を手術室の外部で容易にかつリアルタイムで取得し、記憶することができる。
【００１４】
第６の発明に係る医療関連用品入出庫管理システムは、第５の発明において、複数の前記手術室に前記医療関連用品用棚が設置され、前記管理側受信部が、複数の前記医療関連用品用棚の前記情報送受信部から送信される前記用品情報信号を受信可能であることを特徴とする。
すなわち、この医療関連用品入出庫管理システムでは、複数の手術室に医療関連用品用棚が設置され、管理側受信部が、複数の医療関連用品用棚の情報送受信部から送信される用品情報信号を受信可能であるので、複数の手術室で使用された医療関連用品の情報を一つの情報管理部で収集及び管理をリアルタイムで行うことができる。
【００１５】
第７の発明に係る医療関連用品入出庫管理システムは、第５又は第６の発明において、複数の病院にある複数の前記手術室に前記医療関連用品用棚が設置され、前記管理側受信部が、前記情報送受信部から送信される前記用品情報信号を通信回線を介して受信可能であり、前記情報管理部が、複数の前記病院の外部に設置され、複数の前記病院で使用された前記医療関連用品の情報を一括して収集し、集中管理することを特徴とする。
すなわち、この医療関連用品入出庫管理システムでは、情報管理部が、複数の病院の外部に設置され、複数の病院で使用された医療関連用品の情報を一括して収集し、集中管理するので、複数の病院における医療関連用品の使用傾向を比較して把握することができ、他の病院と比較した情報を病院側に提供することもでき、医療関連用品の使用傾向のアンバランスを是正することも可能になる。このように、複数の病院における医療関連用品の入出庫情報をリアルタイムにかつ容易に獲得することができるため、他の病院との使用傾向の比較に基づいて客観的な今後の入出庫予測が可能になる。
【００１６】
第８の発明に係る医療関連用品入出庫管理システムは、第５から第７の発明のいずれかにおいて、前記情報管理部が、前記用品情報信号を受信した際、受信した前記用品情報信号の内容に関する通知を前記医療関連用品の出庫担当者又は出庫担当部署に通信回線を介して送信可能であることを特徴とする。
すなわち、この医療関連用品入出庫管理システムでは、情報管理部が、用品情報信号を受信した際、受信した用品情報信号の内容に関する通知を医療関連用品の出庫担当者又は出庫担当部署に通信回線を介して送信可能であるので、出庫担当者又は出庫担当部署が使用された医療関連用品の情報を即座に入手でき、迅速に出庫作業を手配することが可能になる。
【発明の効果】
【００１７】
本発明によれば、以下の効果を奏する。
すなわち、本発明に係る医療関連用品用棚及び医療関連用品入出庫管理システムによれば、情報送受信部が、棚本体に載置された複数の医療関連用品の受信した複数の用品情報信号のうち、その受信した日時より後に受信できなくなった医療関連用品の用品情報信号があった際に、受信できなくなった医療関連用品の用品情報信号を無線で送信するので、作業者に頼らずに使用された医療関連用品の用品情報信号を取得することができ、人為的なミスが生じ難いと共に、従来よりもリアルタイムで手術中でも正確に医療関連用品の使用数を外部で把握することができる。
したがって、単に医療関連用品にＲＦＩＤタグを付けておき、本発明の医療関連用品用棚から取り出すだけなので、人為的なミスが生じ難いと共に、正確な使用数を自動的に管理することができる。これにより、手術室における医療関連用品の入出庫情報を、手間がかからず正確かつリアルタイムに把握することが可能になると共に、今後の使用状況を予測することが容易になって過不足無くかつ迅速に医療関連用品の入庫を行うことができる。
【図面の簡単な説明】
【００１８】
【図１】本発明に係る医療関連用品用棚及び医療関連用品入出庫管理システムの第１実施形態において、医療関連用品用棚を示す正面図である。
【図２】第１実施形態において、医療関連用品に付いたラベルを示す平面図である。
【図３】本発明に係る医療関連用品用棚及び医療関連用品入出庫管理システムの第１実施形態において、システム全体を示す構成図である。
【図４】本発明に係る医療関連用品用棚及び医療関連用品入出庫管理システムの第２実施形態において、システム全体を示す構成図である。
【発明を実施するための形態】
【００１９】
以下、本発明に係る医療関連用品用棚及び医療関連用品入出庫管理システムの第１実施形態を、図１から図３を参照しながら説明する。
【００２０】
本実施形態の医療関連用品用棚１は、図１に示すように、下部にキャスター２ａを有して移動可能であると共に複数の医療関連用品３を載置可能な棚本体２と、棚本体２に設置された情報送受信部４とを備えている。
上記医療関連用品３は、図１及び図２に示すように、医療関連用品３の情報を記憶し前記情報を含む用品情報信号を無線で送信可能なＲＦＩＤ（radio frequency identifier）タグ５を備えている。
【００２１】
すなわち、医療関連用品３は、例えば病院内の手術室ＯＰで用いられるものであり、そのケース、箱又は包装にＲＦＩＤタグ５の付いたラベル６が取り付けられている。
上記ラベル６は、医療関連用品３の情報を符号化して表示したコード表示部６ａを有している。このコード表示部６ａは、例えば一次元コードのバーコードや二次元コードのＱＲコード（登録商標）等が採用可能である。
また、ラベル６は、裏面の少なくとも一部が接着面とされて医療関連用品３に貼り付けられている。
なお、医療関連用品３は、例えば段ボール等の複数のケースＤ内に収納された状態で、医療関連用品用棚１に載置されている。
【００２２】
また、情報送受信部４は、常時又は定期的にＲＦＩＤタグ５から送信された用品情報信号を受信する情報読み取り機能と、棚本体２に載置された複数の医療関連用品３の受信した複数の用品情報信号のうち、その受信した日時より後に受信できなくなった医療関連用品３の用品情報信号があった際に、受信できなくなった医療関連用品３の用品情報信号を自動的に無線で送信する情報送信機能とを有している。
【００２３】
なお、情報送受信部４は、常時、ＲＦＩＤタグ５から送信された用品情報信号を受信するように繰り返し読み取り動作をすることが好ましいが、消費電力を考慮して定期的にＲＦＩＤタグ５から送信された用品情報信号を受信するように読み取り動作を設定しても構わない。この場合、例えば３０秒毎、１分毎など、できるだけ短い間隔で受信することが好ましい。
【００２４】
上記情報送受信部４は、バッテリー８を備えていると共に、バッテリー８の電圧の情報を含めて用品情報信号を送信可能である。
なお、バッテリー８の電圧が一定以下に低下した際に、その情報を電圧情報として送信するように情報送受信部４を設定しても構わない。
【００２５】
また、情報送受信部４は、棚本体２に割り当てられた番号の情報を含めて用品情報信号を送信可能である。すなわち、各棚本体２には、棚番号が割り振られており、情報送受信部４は、搭載された棚本体２の棚番号を記憶している。
さらに、情報送受信部４は、ＧＰＳ（Global Positioning System）による位置情報を受信可能な位置情報取得部９を備え、前記位置情報を含めて用品情報信号を送信可能である。すなわち、位置情報取得部９は、図示しないＧＰＳアンテナを内蔵している。
【００２６】
次に、本実施形態の医療関連用品入出庫管理システム１１は、図３に示すように、手術室ＯＰ内に移動可能な医療関連用品用棚１と、手術室ＯＰの外部に設置される情報管理部１２とを備えている。
上記情報管理部１２は、情報送受信部４が送信した用品情報信号を受信する管理側受信部１３と、管理側受信部１３で受信した用品情報信号を記憶する情報記憶部１４とを備えている。
【００２７】
図３に示すように、複数の手術室ＯＰには、医療関連用品用棚１がそれぞれ設置されている。
上記管理側受信部１３は、複数の医療関連用品用棚１の情報送受信部４から送信される用品情報信号を受信可能である。
したがって、情報管理部１２は、複数の手術室ＯＰから送られてくる使用済み医療関連用品３の情報を収集する管理用サーバとして機能する。
【００２８】
上記情報送受信部４は、図示しないＲＦＩＤ読み取り用アンテナを含むＲＦＩＤ用の棚側受信部４ａと、受信した医療関連用品３の情報を無線送信するアンテナを含む棚側送信部４ｂと、これらを制御する制御部４ｃと、これらに電力を供給する上記バッテリー８とを備えている。
上記棚側送信部４ｂ及び管理側受信部１３は、ＷｉＦｉ等の無線ＬＡＮ、３Ｇ等の携帯電話用通信回線又はＰＨＳ等の無線通信回線を用いたもの等が採用可能である。
上記バッテリー８は、ＡＣ電源に接続可能であり、ＡＣ電源から電力の供給を受けて充電可能である。また、ＡＣ電源からの電力を直接、情報送受信部４の各部に供給可能である。
【００２９】
また、上記情報管理部１２は、用品情報信号を受信した際、受信した用品情報信号の内容に関する通知（例えば、製品名、製品コード、品番、製造日、使用期限、使用数、病院名、手術室名等）を医療関連用品３の出庫担当者又は出庫担当部署（いわゆる用度課やディーラーなど）に通信回線を介して送信可能である。
【００３０】
すなわち、情報管理部１２は、用品情報信号を受信すると、当該用品情報信号に対応する医療関連用品３が使用されたものとし、その通知を医療関連用品３の出庫担当者又は出庫担当部署にメール等によって送信するように設定されている。なお、この通知は、用品情報信号を受信するたびに送信することが好ましいが、一定時間に受信した複数の用品情報信号の内容をまとめてメール等で送信するように設定しても構わない。
【００３１】
上記ＲＦＩＤタグ５は、いずれも図示しないＲＦＩＤ用アンテナと、通信回路部と、上記医療関連用品３の情報を記憶したメモリ部とを備えている。このＲＦＩＤタグ５は、シールとしてラベル６に接着可能な接着面を裏面に有している。
上記棚側受信部４ａは、その送受信範囲が棚本体２全体に設定されており、棚本体２に載置された医療関連用品３のＲＦＩＤタグ５の情報を読み取り可能となっている。したがって、棚側受信部４ａは、その送受信範囲から医療関連用品３のＲＦＩＤタグ５が離れると、ＲＦＩＤタグ５の情報を読み取ることができない。例えば、医療関連用品３のＲＦＩＤタグ５が棚本体２から１ｍ離間すると棚側受信部４ａは、ＲＦＩＤタグ５の情報を読み取ることができない。
【００３２】
医療関連用品３を手術室ＯＰに入庫する際には、医療関連用品３又はその包装に貼られたラベル６のコード表示部６ａからコード読み取り装置によって医療関連用品３の情報を読み取ると共に、読み取った情報に対して入庫日、病院名、手術室名等の情報を加え、ＲＦＩＤ書き込み装置によってＲＦＩＤタグ５に書き込み記憶させる。
【００３３】
このように記憶させたＲＦＩＤタグ５をラベル６に貼り付ける。このラベル６を取り付けた医療関連用品３をＲＦＩＤ読み取り装置でＲＦＩＤタグ５の情報を読み取ることで棚入庫管理が可能になる。そして、このラベル６を取り付けた医療関連用品３を医療関連用品用棚１に載置し、ＲＦＩＤ読み取り装置である棚側受信部４ａで各医療関連用品３の用品情報信号を受信し、制御部４ｃが各医療関連用品３の用品情報を記憶する。
そして、手術の際に、この医療関連用品用棚１を手術室ＯＰ内にキャスター２ａにより移動させ、設置する。
【００３４】
上記医療関連用品３としては、カテーテル、手術用手袋、脱脂綿、点滴用具、薬品・薬剤等の手術で用いるものである。
この医療関連用品３の用品情報としては、製品名、製品コード、品番、製造、使用期限、病院名、手術室名等が含まれる。
上記情報送受信部４は、受信した用品情報信号に含まれている医療関連用品３の情報に、受信しなくなった日時の情報を加えて送信可能である。すなわち、この受信しなくなった日時が、医療関連用品３の使用日時となる。
【００３５】
本実施形態では、例えば手術室ＯＰの事前室などでカテーテル等の１０個の医療関連用品３が棚本体２に載置され、手術室ＯＰ内に医療関連用品用棚１が運ばれた場合、情報送受信部４が当初、１０個の医療関連用品３の用品情報信号を受信し、１０個の医療関連用品３が棚本体２に載置されていることを検知し、制御部４ｃが記憶している。
【００３６】
次に、手術室ＯＰ内で手術中に棚本体２から例えば１個の医療関連用品３が取り出されて使用されると、その後、情報送受信部４が９個の医療関連用品３の用品情報信号を受信し、当初の１０個の医療関連用品３のうち１個が受信できなくなったことを制御部４ｃが検知して、該当する１個の医療関連用品３の用品情報信号を特定し、その用品情報信号を棚側送信部４ｂから無線送信する。
【００３７】
そして、手術室ＯＰの外部に設置された情報管理部１２が、送信された医療関連用品３の用品情報信号を受信することで、当該医療関連用品３が使用されたことを情報記憶部１４に記憶すると共に、情報管理部１２に接続されたディスプレイ（図示略）に、その用品情報の内容が表示される。
また、情報管理部１２は、受信した用品情報信号の内容に関する通知を医療関連用品３の出庫担当者又は出庫担当部署に通信回線を介してメール等で送信する。この通知を受けた出庫担当者又は出庫担当部署は、直ぐに該当する医療関連用品３の出庫を行うことができる。
【００３８】
このように本実施形態の医療関連用品用棚１では、情報送受信部４が、常時又は定期的にＲＦＩＤタグ５から送信された用品情報信号を受信する情報読み取り機能と、棚本体２に載置された複数の医療関連用品３の受信した複数の用品情報信号のうち、その受信した日時より後に受信できなくなった医療関連用品３の用品情報信号があった際に、受信できなくなった医療関連用品３の用品情報信号を無線で送信する情報送信機能とを有するので、棚本体２から医療関連用品３が取り出されただけで、その用品情報信号が自動的に送信される。
【００３９】
したがって、作業者に頼らずに使用された医療関連用品３の用品情報信号を取得することができ、人為的なミスが生じ難いと共に、従来よりもリアルタイムで手術中でも正確に医療関連用品３の使用数を外部で把握することができる。
また、情報送受信部４が、バッテリー８を備えているので、コンセント等の外部電源が近くになくても稼働でき、設置自由度が高く、容易に移動も可能になる。また、情報送受信部４が、バッテリー８の電圧の情報を含めて用品情報信号を送信可能であるので、バッテリー８の電圧情報も外部で自動的に受信することができ、得られたバッテリー８の残量から充電の可否も外部で把握することができる。
【００４０】
また、情報送受信部４が、棚本体２に割り当てられた番号の情報を含めて用品情報信号を送信可能であるので、複数の医療関連用品用棚１が使用されていても、どの医療関連用品用棚１の棚本体２から医療関連用品３が抜き取られて使用されたかが容易に把握することができる。
さらに、情報送受信部４が、ＧＰＳによる位置情報を受信可能な位置情報取得部９を備え、位置情報を含めて用品情報信号を送信可能であるので、医療関連用品用棚１がどの場所、例えば複数ある手術室ＯＰのうち、どの手術室ＯＰで使用されているかも容易に把握することができる。
【００４１】
また、本実施形態の医療関連用品入出庫管理システム１１では、手術室ＯＰ内に移動可能な上記医療関連用品用棚１と、手術室ＯＰの外部に設置される情報管理部１２とを備え、情報管理部１２が、情報送受信部４が送信した用品情報信号を受信する管理側受信部１３と、管理側受信部１３で受信した用品情報信号を記憶する情報記憶部１４とを備えているので、手術中などで使用された医療関連用品３の情報を手術室ＯＰの外部で容易にかつリアルタイムで取得し、記憶することができる。
【００４２】
特に、複数の手術室ＯＰに医療関連用品用棚１が設置され、管理側受信部１３が、複数の医療関連用品用棚１の情報送受信部４から送信される用品情報信号を受信可能とされることで、複数の手術室ＯＰで使用された医療関連用品３の情報を一つの情報管理部１２で収集及び管理をリアルタイムで行うことができる。
【００４３】
また、情報管理部１２が、用品情報信号を受信した際、受信した用品情報信号の内容に関する通知を医療関連用品３の出庫担当者又は出庫担当部署に通信回線を介して送信可能であるので、出庫担当者又は出庫担当部署が使用された医療関連用品３の情報を即座に入手でき、迅速に出庫作業を手配することが可能になる。
【００４４】
次に、本発明に係る医療関連用品入出庫管理システムの第２実施形態について、図４を参照して以下に説明する。なお、以下の実施形態の説明において、上記実施形態において説明した同一の構成要素には同一の符号を付し、その説明は省略する。
【００４５】
第２実施形態と第１実施形態との異なる点は、第１実施形態では、一つの病院にある複数の手術室ＯＰにおける医療関連用品３の入出庫を管理しているのに対し、第２実施形態の医療関連用品入出庫管理システム２１では、図４に示すように、複数の病院Ｈにある複数の手術室ＯＰにおける医療関連用品３の入出庫を管理することができるシステムである点である。すなわち、第２実施形態では、情報管理部１２が、病院Ｈの外部に設置され、情報送受信部４が、通信回線２２を介して用品情報信号を送信可能であり、管理側受信部１３が、通信回線２２を介して用品情報信号を受信可能である。
【００４６】
上記通信回線２２としては、インターネットや電話回線等が採用可能である。また、上記情報送受信部４は、無線で通信回線２２に接続可能であり、管理側受信部１３は、無線又は有線で通信回線２２に接続可能とされている。
【００４７】
したがって、第２実施形態の医療関連用品入出庫管理システム２１では、情報管理部１２が、複数の病院Ｈの外部に設置され、複数の病院Ｈで使用された医療関連用品３の情報を一括して収集し、集中管理するので、複数の病院Ｈにおける医療関連用品３の使用傾向を比較して把握することができ、他の病院Ｈと比較した情報を病院Ｈ側に提供することもでき、医療関連用品３の使用傾向のアンバランスを是正することも可能になる。このように、複数の病院Ｈにおける医療関連用品３の入出庫情報をリアルタイムにかつ容易に獲得することができるため、他の病院Ｈとの使用傾向の比較に基づいて客観的な今後の入出庫予測が可能になる。
【００４８】
なお、本発明の技術範囲は上記各実施形態に限定されるものではなく、本発明の趣旨を逸脱しない範囲において種々の変更を加えることが可能である。
例えば、上記各実施形態では、病院の手術室で使用される医療関連用品の入出庫管理を行っているが、病院以外の研究機関等の施設において使用される医療関連用品について入出庫管理を行うシステムに適用しても構わない。
【符号の説明】
【００４９】
１…医療関連用品用棚、２…棚本体、２ａ…キャスター、３…医療関連用品、４…情報送受信部、５…ＲＦＩＤタグ、８…バッテリー、９…位置情報取得部、１１，２１…医療関連用品入出庫管理システム、１２…情報管理部、１３…管理側受信部、１４…情報記憶部、Ｈ…病院
【図１】
2020010788.tif 000003
【図２】
2020010788.tif 000004
【図３】
2020010788.tif 000005
【図４】
2020010788.tif 000006